(57)【要約】【課題】  センサーレンズの取付精度を向上させること。【解決手段】  ディスクの半径方向に沿って移動可能なスライドベース１０を有し、フォトダイオード付き読取部に接近して配置されるセンサーレンズ１９を位置決め固定するためのレンズ受座１８がスライドベース１０に形成され、センサーレンズ１９が筒状部１９Ａと該筒状部１９Ａ内に一体形成されたシリンドリカル構造のレンズ部１９Ｂとからなり、そのセンサーレンズ１９の筒状部１９Ａの外周面に互いに９０°の対向角度をおいて一対の当て面Ｅ，Ｆが形成され、その一方の当て面Ｆがレンズ部１９Ｂの母線方向Ｙと平行に形成されると共に、その他方の当て面Ｅが母線方向Ｙとは直交する横断方向Ｘに沿って形成されており、センサーレンズ１９の各当て面Ｅ，Ｆをレンズ受座１８の各基準面Ｇ，Ｈに当接させ接着剤２７で固定している。【選択図】        図１
2010244662.tif 000002
【特許請求の範囲】
【請求項１】
ディスクの半径方向に沿って移動可能なスライドベースを有し、該スライドベースに、
対物レンズ付きアクチュエータ、レーザダイオード付き発光部、フォトダイオード付き読
取部が設けられ、該読取部に接近して配置されるセンサーレンズを位置決め固定するため
のレンズ受座がスライドベースに形成され、前記センサーレンズが筒状部と該筒状部内に
一体形成されたシリンドリカル構造のレンズ部とからなり、そのセンサーレンズの筒状部
の外周面に互いに９０°の対向角度をおいて一対の当て面が形成されると共に、該各当て
面に対向してレンズ受座に互いに９０°の対向角度をおいて一対の基準面が形成され、そ
の各基準面に各当て面を当接させてセンサーレンズをレンズ受座に位置決め固定しており
、レーザダイオードから対物レンズを通してディスクの信号面にレーザ光を投射し、その
反射した光信号をセンサーレンズを通して読取部のフォトダイオードで受光し、その受光
信号に基づいてディスクに記録されている情報を読み取るようにした光ピックアップにお
いて、前記各当て面のうち、その一方の当て面がレンズ部の母線方向と平行に形成される
と共に、その他方の当て面が母線方向とは直交する横断方向に沿って形成されていること
を特徴とする光ピックアップ。
【請求項２】
前記スライドベースのトレイ反対面を上向きにした状態で、前記両基準面が上広がり状
に傾斜されていることを特徴とする請求項１に記載の光ピックアップ。
【請求項３】
前記センサーレンズの筒状部が四角筒体の４つの角部のうちの３つの角部を切除した多
角筒体からなることを特徴とする請求項１または２に記載の光ピックアップ。
【発明の詳細な説明】
【技術分野】
【０００１】
本発明は、ディスク装置（例えばＢｌｕ−ｒａｙ  Ｄｉｓｃ式のレコーダまたはプレー
ヤなど）の光ピックアップに関し、特に、センサーレンズの取付精度を向上させるように
したものである。
【背景技術】
【０００２】
ディスク装置（Ｂｌｕ−ｒａｙ  Ｄｉｓｃ式のレコーダまたはプレーヤ）として図５の
平面図及び図６の同要部の底面側斜視図に示すものがある。これは、ディスクＤ載置用ト
レイ１がローダーシャーシ２に前後進ａ，ｂ可能に配置され、該ローダーシャーシ２内に
シャーシ本体３ａとレバーシフト３ｂとからなるトラバースシャーシ３が配置され、前記
シャーシ本体３ａの後部がゴムからなる後側弾性体４を介してローダーシャーシ２に上下
動可能に連結されると共に、該シャーシ本体３ａの前部がゴムからなる前側弾性体５を介
してレバーシフト３ｂに連結され、前記シャーシ本体３ａ上にターンテーブル６付きスピ
ンドルモータ７と光ピックアップ８とが配置され、該光ピックアップ８がガイドレール９
に沿ってディスクＤの半径方向に往復移動可能なスライドベース１０を有している。
【０００３】
前記スライドベース１０のトレイ対向面に対物レンズＯＬ付きアクチュエータ１１とプ
リント配線基板からなるメイン基板１２とが配置され、該スライドベース１０の一方側面
にＤＶＤ・ＣＤ用発光部１４が配置されると共に、該スライドベース１０の後面一端側に
ＤＶＤ・ＣＤ用読取部１５が配置され、そのスライドベースの後面他端側にＢＤ（ブルー
レイ）用発光部１６が配置されると共に、該スライドベース１０の他方側面にＢＤ用読取
部１７が配置され、前記各発光部１４，１６はレーザダイオードＬＤを有し、各読取部１
５，１７はフォトダイオードＰＤを有し、スライドベース１０の各読取部１５，１７に接
近するレンズ受座１８にセンサーレンズ１９が位置決め固定されている。
【０００４】
図５に示すように、前記ローダーシャーシ２の前部にカムスライダ２０が前後進ａ，ｂ
方向とは直交する左右方向ｃ，ｄに沿ってスライド可能に配置され、該カムスライダ２０
に形成したカム溝２１ａと、レバーシフト３ｂに突設されてカム溝２１ａに嵌入するカム
ピン２１ｂとからなるカム機構２１によりカムスライダ２０とレバーシフト３ｂとが連動
連結されている。
【０００５】
図５に示すように、前記ローダーシャーシ２の前部にピニオン２２が正逆回転ｅ，ｆ可
能に配置され、該ピニオン２２に噛合可能なカムラック２３が前記カムスライダ２０に設
けられ、そのピニオン２２に噛合可能なトレイラック（図示せず）が前記トレイ１の裏面
に前後進ａ，ｂ方向に沿って形成され、前記カムスライダ２０にガイドピン２５が突設さ
れると共に、該ガイドピン２５に係合可能なガイド枠（図示せず）がトレイ１の裏面に突
設されている。
【０００６】
操作手順を説明すると、図５に実線で示す状態は、トレイオープン状態を示しており、
ディスクＤをトレイ１上に載置し、フィードモータによりピニオン２２を矢印ｆ方向に回
転させることにより、該ピニオン２２に噛合するトレイラック（図示せず）を介してトレ
イ１を後進ｂさせてローダーシャーシ２内に収納する（図５仮想線参照）。
【０００７】
続いて、トレイ１の裏面のガイド枠（図示せず）の傾斜面をガイドピン２５に押しつけ
てカムスライダ２０を矢印ｃ方向にスライドさせることにより、カムラック２３をピニオ
ン２２に噛合させ、該ピニオン２２の矢印ｆ方向への回転によりカムスライダ２０を矢印
ｃ方向にスライドさせ、カム機構２０を介してトラバースシャーシ３を上動させ、ターン
テーブル６にディスクＤをクランプし、プレーモードにする。
【０００８】
そのプレイモードでは、ターンテーブル６によりディスクＤを高速回転させ、各発光部
１４，１６のレーザダイオードＬＤからレーザ光を対物レンズＯＬを通してディスクＤに
投射し、その反射した光信号をセンサーレンズ１９を介して各読取部１５，１７のフォト
ダイオードＰＤで受光してディスクＤに記録されている情報を読み取る。
【０００９】
図７〜図９は従来のレンズ受座１８及びセンサーレンズ１９及びを示すものであって、
図７（ａ）は同斜視図、図７（ｂ）は同縦断面図、図７（ｃ）はＣ−Ｃ矢視図、図７（ｄ
）はＤ−Ｄ矢視図、図８は同分解斜視図、図９（ａ）〜（ｃ）は同原理図である。
【００１０】
図７及び図８に示すように、センサーレンズ１９は、非焦点収差法によるフォーカシン
グエラー補正を行うためのものであって、筒状部１９Ａと該筒状部１９Ａ内に一体形成し
たレンズ部１９Ｂとからなり、該レンズ部１９Ｂはシリンドリカル構造であって、円柱の
一部を切り出した形状をしており、その円柱の軸方向が母線方向Ｙとされ、該母線方向Ｙ
とは直交する横断方向Ｘにのみレンズとして働くようになっており、レンズ部１９Ｂを透
過する光信号を読取部１５，１７のフォトダイオードＰＤで読み取ってディスクＤの信号
面と対物レンズＯＬとの間の距離を検出し、その検出値に基づいてアクチュエータ１１を
駆動して対物レンズＯＬの焦点をディスクＤの記号面に合わせる。なお、原理的には、母
線方向Ｙに対して平行な位置ズレは光信号に影響しない。
【００１１】
従来、前記センサーレンズ１９の筒状部１９Ａの外周面に互いに９０°の対向角度α１
をおいて一対の当て面Ｅ，Ｆが形成されると共に、その両当て面Ｅ，Ｆが母線方向Ｙに対
して所定の対向角度β１，β２で傾斜され、その両当て面Ｅ，Ｆに対向してレンズ受座１
８に水平方向及び垂直方向に沿って互いに９０°の対向角度α２をおいて一対の基準面Ｇ
，Ｈが形成されており、スライドベース１０のトレイ反対面１０ａを上向きにした状態で
、センサーレンズ１９の各当て面Ｅ，Ｆをレンズ受座１８の各基準面Ｇ，Ｈに当接させて
該センサーレンズ１９を位置決めし、そのセンサーレンズ１９をレンズ受座１８に紫外線
硬化性接着剤などの接着剤２７で固定している。なお、関連する技術として特許文献１に
記載したものがある。
【先行技術文献】
【特許文献】
【００１２】
【特許文献１】特開２００８−７７７５７号公報
【発明の概要】
【発明が解決しようとする課題】
【００１３】
上記従来の構成では、図９（ａ）に示すように、センサーレンズ１９及びレンズ受座１
８を成形する際の発生する寸法誤差ＸＹ１〜ＸＹ４が各当て面Ｅ，Ｆ及び各基準面Ｇ，Ｈ
に対して垂直方向に発生するが、その各当て面Ｅ，Ｆ及び各基準面Ｇ，Ｈが母線方向Ｙに
対して所定の対向角度β１，β２で傾斜していることから、図９（ｂ）及び（ｃ）に示す
ように、各寸法誤差ＸＹ１〜ＸＹ４が母線方向Ｙに沿う寸法誤差Ｙａ，Ｙｂと横断方向Ｘ
に沿う寸法誤差Ｘａ，Ｘｂとに分かれ、その母線方向Ｙに沿う寸法誤差Ｙａ，Ｙｂは光信
号に影響を与えないが、その横断方向Ｘに沿う寸法誤差Ｘａ，Ｘｂは光信号に影響を与え
ることになり、その寸法誤差Ｘａ，Ｘｂが４箇所で生じ、その誤差発生箇所（Ｘａ，Ｘｂ
）が２方向で多いため、センサーレンズ１９の取付精度にバラツキが生じ、そのセンサー
レンズ１９に対する光信号の透過の位置及び角度が一定せず、不安定になりやすい。
【００１４】
本発明は、上記従来の欠点に鑑み、センサーレンズの取付精度を向上させるようにした
光ピックアップを提供することを目的としている。
【課題を解決するための手段】
【００１５】
上記目的を達成するため、請求項１に記載の発明は、ディスクの半径方向に沿って移動
可能なスライドベースを有し、該スライドベースに、対物レンズ付きアクチュエータ、レ
ーザダイオード付き発光部、フォトダイオード付き読取部が設けられ、該読取部に接近し
て配置されるセンサーレンズを位置決め固定するためのレンズ受座がスライドベースに形
成され、前記センサーレンズが筒状部と該筒状部内に一体形成されたシリンドリカル構造
のレンズ部とからなり、そのセンサーレンズの筒状部の外周面に互いに９０°の対向角度
をおいて一対の当て面が形成されると共に、該各当て面に対向してレンズ受座に互いに９
０°の対向角度をおいて一対の基準面が形成され、その各基準面に各当て面を当接させて
センサーレンズをレンズ受座に位置決め固定しており、レーザダイオードから対物レンズ
を通してディスクの信号面にレーザ光を投射し、その反射した光信号をセンサーレンズを
通して読取部のフォトダイオードで受光し、その受光信号に基づいてディスクに記録され
ている情報を読み取るようにした光ピックアップにおいて、前記各当て面のうち、その一
方の当て面がレンズ部の母線方向と平行に形成されると共に、その他方の当て面が母線方
向とは直交する横断方向に沿って形成されていることを特徴としている。
【００１６】
請求項２に記載の発明は、請求項１に記載の発明において、前記スライドベースのトレ
イ反対面を上向きにした状態で、前記両基準面が上広がり状に傾斜されていることを特徴
としている。
【００１７】
請求項３に記載の発明は、請求項１たまは２に記載の発明において、前記センサーレン
ズの筒状部が四角筒体の４つの角部のうちの３つの角部を切除した多角筒体からなること
を特徴としている。
【発明の効果】
【００１８】
請求項１に記載の発明によれば、センサーレンズ及びレンズ受座を成形する際の発生す
る寸法誤差が各当て面及び各基準面に対して垂直方向に発生するが、一方の当て面及び基
準面が母線方向と平行しているため、他方の当て面及び基準面にかかる寸法誤差は母線方
向に沿っていて光信号に影響を与えない。従って、一方の当て面及び基準面に対して垂直
方向にかかる寸法誤差だけが光信号に影響を与えることになり、その誤差発生箇所が単一
方向の２箇所で少ないから、センサーレンズの取付精度が向上し、そのセンサーレンズに
対する光信号の透過の位置及び角度を安定させることができる。
【００１９】
請求項２に記載の発明によれば、スライドベースのトレイ反対面を上向きにした状態で
、センサーレンズをレンズ受座内に挿入するだけで、該センサーレンズの両当て面がレン
ズ受座の上広がり状に傾斜されている両基準面に自重で密着され、そのセンサーレンズの
位置決めを自動的に行うことができる。
【００２０】
請求項３に記載の発明によれば、センサーレンズの筒状部の３つの角部を除去すること
により、該センサーレンズの高さ及び幅を小さくして、そのセンサーレンズを小型化する
ことができる。
【００２１】
また、残された１つの角部を目印にしてセンサーレンズをその向きを間違うことなくレ
ンズ受座内に正確に組み込むことができる。
【図面の簡単な説明】
【００２２】
【図１】（ａ）は本発明の実施の一形態である光ピックアップの要部を示す斜視図、（ｂ）は同縦断面図、（ｃ）はＡ−Ａ矢視図、（ｄ）はＢ−Ｂ矢視図である。
【図２】同分解斜視図である。
【図３】同センサーレンズの正面図である。
【図４】同原理図である。
【図５】ディスク装置平面図である。
【図６】同要部の底面側斜視図である。
【図７】（ａ）は従来の要部の斜視図、（ｂ）は同縦断面図、（ｃ）はＣ−Ｃ矢視図、（ｄ）はＤ−Ｄ矢視図である。
【図８】同分解斜視図である。
【図９】（ａ）〜（ｃ）は同原理図である。
【発明を実施するための形態】
【００２３】
図１〜図４は本発明の実施の一形態である光ピックアップ８の要部を示すものであって
、センサーレンズ１９の一方の当て面Ｆが母線方向Ｙと平行に形成されると共に、その他
方の当て面Ｅが母線方向Ｙとは直交する横断方向Ｘに沿って形成され、図２に示すように
、スライドベース１０のトレイ反対面１０ａを上向きにした状態で、レンズ受座１８の両
基準面Ｇ，Ｈが上広がり状に傾斜され、スライドベース１０の両基準面Ｇ，Ｈ間に窪部２
８が形成されている。
【００２４】
図３に示すように、センサーレンズ１９の筒状部１９Ａが四角筒体の４つの角部のうち
の３つの角部１９ｂ〜１９ｄを切除した多角筒体からなっている。上記以外の構成は図５
〜図９に示す構成とほぼ同じであるから、同一部分に同一符号を付してその説明を省略す
る。
【００２５】
センサーレンズ１９の取付手順を説明すると、スライドベース１０のトレイ反対面１０
ａを上向きにした状態で、センサーレンズ１９をレンズ受座１８内に挿入し、該センサー
レンズ１９の各当て面Ｅ，Ｆをレンズ受座１８の各基準面Ｇ，Ｈに当接させ、そのセンサ
ーレンズ１９をレンズ受座１８に紫外線硬化性接着剤などの接着剤２７で固定する。
【００２６】
上記構成によれば、図４に示すように、センサーレンズ１９及びレンズ受座１８を成形
する際の発生する母線方向Ｙに沿う寸法誤差Ｙａ，Ｙｂと横断方向Ｘに沿う寸法誤差Ｘａ
，Ｘｂとが各当て面Ｅ，Ｆ及び各基準面Ｇ，Ｈに対して垂直方向に発生するが、一方の当
て面Ｆ及び基準面Ｈが母線方向Ｙと平行しているため、他方の当て面Ｅ及び基準面Ｇにか
かる寸法誤差Ｙａ，Ｙｂは母線方向Ｙに沿っていて光信号に影響を与えない。従って、一
方の当て面Ｆ及び基準面Ｈに対して垂直方向にかかる寸法誤差Ｘａ，Ｘｂだけが光信号に
影響を与えることになり、その誤差発生箇所（Ｘａ，Ｘｂ）が単一方向の２箇所で少ない
から、センサーレンズ１９の取付精度が向上し、そのセンサーレンズ１９に対する光信号
の透過の位置及び角度を安定させることができる。
【００２７】
ここで、本発明と従来例（図７〜図９）との寸法精度を自乗和平均で比較すると、本発
明の寸法誤差は：√（Ｘａ２  ＋Ｘｂ２)となり、従来例の寸法誤差は：√（( √( Ｘａ２  ＋
Ｘｂ２)) ２  ＋( √（Ｘａ２  ＋Ｘｂ２))２) ＝√2 ×√（Ｘａ２  ＋Ｘｂ２)となり、約３０％の
取付精度の向上となる。
【００２８】
また、スライドベース１０のトレイ反対面１０ａを上向きにした状態で、センサーレン
ズ１９をレンズ受座１８内に挿入するだけで、該センサーレンズ１９の両当て面Ｅ，Ｆが
レンズ受座１８の上広がり状に傾斜されている両基準面Ｇ，Ｈに自重で密着され、そのセ
ンサーレンズ１９の位置決めを自動的に行うことができる。
【００２９】
更に、図３に示すように、センサーレンズ１９の筒状部１９Ａの３つの角部１９ｂ〜１
９ｄを除去することにより、該センサーレンズ１９の高さｈ及び幅ｔを小さくして、その
センサーレンズ１９を小型化することができる。
【００３０】
また更に、残された１つの角部１９ａを目印にしてセンサーレンズ１９をその向きを間
違うことなくレンズ受座１８内に正確に組み込むことができる。
【００３１】
しかも、両基準面Ｇ，Ｈ間に窪部２８を形成しているので、その窪部２８の底面にセン
サーレンズ１９が接触しないようにして、該センサーレンズ１９の両当て面Ｅ，Ｆを両基
準面Ｇ，Ｈに確実に密着させることができる。
【符号の説明】
【００３２】
１０            スライドベース
１０ａ          スライドベースのトレイ反対面
１１            アクチュエータ
１４            ＤＶＤ・ＣＤ用発光部
１５            ＤＶＤ・ＣＤ用読取部
１６            ＢＤ用発光部
１７            ＢＤ用読取部
１８            レンズ受座
１９            センサーレンズ
１９Ａ          センサーレンズの筒状部
１９Ｂ          センサーレンズのレンズ部
１９ａ〜１９ｄ  センサーレンズの角部
２７            接着剤
Ｄ              ディスク
Ｅ，Ｆ          センサーレンズの当て面
Ｇ，Ｈ          レンズ受座の基準面
ＯＬ            対物レンズ
ＬＤ            レーザダイオード
ＰＤ            フォトダイオード
Ｘ              横断方向
Ｙ              母線方向
【図１】
2010244662.tif 000003
【図２】
2010244662.tif 000004
【図３】
2010244662.tif 000005
【図４】
2010244662.tif 000006
【図５】
2010244662.tif 000007
【図６】
2010244662.tif 000008
【図７】
2010244662.tif 000009
【図８】
2010244662.tif 000010
【図９】
2010244662.tif 000011